(57)【特許請求の範囲】
【請求項１】
密閉容器内に、電動要素と、前記電動要素によって駆動される圧縮要素とを収容した密閉型圧縮機であって、前記圧縮要素を、前記電動要素によって回転駆動される主軸部と前記主軸部の一端に設けられ、かつ前記主軸部と一体運動するように形成された偏心軸部を有するシャフトと、前記シャフトの前記主軸部を軸支することによって片持ち軸受を形成する軸受部と、前記軸受部に対して、一定の位置に固定されるように配置され、略円筒形の圧縮室を形成するシリンダブロックと、前記圧縮室の内部に往復動可能に挿設されたピストンと、前記偏心軸部と前記ピストンとを連結するコンロッドとを備えた構成とし、さらに、前記圧縮室を、前記ピストンが上死点に位置する側から下死点に位置する側に向かって内径寸法が増大するように形成されたテーパ部を有する構成とし、さらに、前記ピストンにおける前記圧縮室側の先端部分に、前記テーパ部との接触荷重を低減する小径部を設け、前記ピストンの小径部を、前記圧縮室側に向かって徐々に小径となる傾斜面とし、さらに、前記テーパ部と前記圧縮室の軸心とのなす角度をαとし、また、前記傾斜面と前記ピストンの軸心とのなす角度がβであるとき、前記角度αと前記角度βを、
α＜β≒２α
の関係を満足するように設定した密閉型圧縮機。
【請求項２】
前記圧縮室の上死点側の位置に、前記テーパ部に隣接して前記圧縮室内の内径寸法が軸方向に一定となるように形成されたストレート部を有する請求項１に記載の密閉型圧縮機。
【請求項３】
前記ピストンが下死点に位置する状態において、前記ピストンの少なくとも一部が、前記シリンダブロックから露出するように形成した請求項１から２のいずれか一項に記載の密閉型圧縮機。
【請求項４】
請求項１から３のいずれか一項に記載の密閉型圧縮機を搭載した冷凍装置。
【発明の詳細な説明】
【技術分野】
【０００１】
本発明は、冷凍サイクルに用いられる密閉型圧縮機、およびその圧縮機を搭載した冷蔵庫などの冷凍装置に関する。
【背景技術】
【０００２】
圧縮機構にレシプロ式を採用した密閉型圧縮機では、内径が円筒形の圧縮室を形成するシリンダと、このシリンダ内を往復運動する外径が円筒形のピストンと、このピストンに、ピストンピンを介して、シャフトの偏心軸部を連結するコンロッドとを備え、電動機部の回転子の軸心にシャフトを固定し、回転子の回転により圧縮機構を作動させるものが知られている（例えば、特許文献１参照）。
【０００３】
以下、図面を参照しながら上記従来技術の密閉型圧縮機について説明する。
【０００４】
図４は、特許文献１に記載された従来の密閉型圧縮機の圧縮部の縦断面図である。
【０００５】
このような密閉型圧縮機では、シリンダの内径と往復運動するピストンの外径との間において摺動するための隙間が必要であり、この隙間が大きいものでは圧縮室内で圧縮された高温、高圧の冷媒ガスの漏れが発生して圧縮効率が低下し、この隙間を小さくすると摺動損失が増加して圧縮効率が低下する関係にある。
【０００６】
そこで、ピストンが上死点に位置する側から下死点に位置する側に向かって内径寸法が増大するようなテーパ形成されたシリンダを用いた密閉型圧縮機が提案されている。
【０００７】
図４（ａ）、（ｂ）は、上記特許文献１に開示された密閉型圧縮機の圧縮部の縦断面図であり、このうち、図４（ａ）はピストンが下死点にある状態を、図４（ｂ）はピストンが上死点にある状態をそれぞれ示している。
【０００８】
図４（ａ）、（ｂ）において、シリンダブロック１４に設けた圧縮室１５内に往復動可能に挿設されたピストン２３には、ピストンピン２５を介して、コンロッド２６が連結されている。そして、図示省略のシャフトの偏心軸部の偏心運動により、コンロッド２６はピストン２３を、図４（ａ）に示す下死点位置と図４（ｂ）に示す上死点位置の間を往復するように駆動する。
【０００９】
コンロッド２６から見て圧縮室１５の反対側の端面にバルブプレート（図示せず）が装着されている。
【００１０】
圧縮室１５は、ピストン２３が上死点に位置する側から下死点に位置する側に向かって、内径寸法がＤｔからＤｂ（＞Ｄｔ）に増加するテーパ部１７を持つように形成され、ピストン２３は、全長にわたって外径寸法が同一に形成されている。
【００１１】
この組み合わせにより、ピストン２３の外周面が図４（ａ）に示す下死点位置から、冷媒ガスを圧縮する圧縮行程でテーパ部１７に沿って上死点側に移行する途中の状態までは、圧縮室１５内の圧力がそれほど上昇しないので、隙間は比較的大きくても潤滑油によるシール効果で冷媒ガスの漏れを抑制することができ、ピストン２３の摺動抵抗も小さい。
【００１２】
さらに圧縮行程が進み、圧縮室１５内の冷媒ガスの圧力が次第に上昇し、ピストン２３が図４（ｂ）に示す上死点位置に近接する状態では、圧縮室１５内の圧力が所定の吐出圧
力まで上昇して冷媒ガスの漏れが発生しやすい条件となるが、上死点側では隙間が小さくなることから、潤滑油によるシール効果が得られ、冷媒ガスの漏れを低減することができる。
【先行技術文献】
【特許文献】
【００１３】
【特許文献１】特開２００２−８９４５０号公報
【発明の概要】
【発明が解決しようとする課題】
【００１４】
しかしながら、上記従来の構成では、圧縮行程において、ピストン２３の先端エッジ部３０がテーパ部１７に線接触して、油膜切れを起こし、入力増加や摺動部摩耗により信頼性が低下する可能性があった。
【００１５】
本発明は、上記従来の課題を解決するもので、入力低減や摺動部摩耗低減をはかることにより、高効率で高信頼性の密閉型圧縮機を提供し、また、かかる密閉型圧縮機を搭載した高効率の冷凍装置を提供することを目的とする。
【課題を解決するための手段】
【００１６】
上記従来の課題を解決するために、本発明の密閉型圧縮機は、密閉容器内に、電動要素と、前記電動要素によって駆動される圧縮要素とを収容した密閉型圧縮機であって、前記圧縮要素を、前記電動要素によって回転駆動される主軸部と前記主軸部の一端に設けられ、かつ前記主軸部と一体運動するように形成された偏心軸部を有するシャフトと、前記シャフトの前記主軸部を軸支することによって片持ち軸受を形成する軸受部と、前記軸受部に対して、一定の位置に固定されるように配置され、略円筒形の圧縮室を形成するシリンダブロックと、前記圧縮室の内部に往復動可能に挿設されたピストンと、前記偏心軸部と前記ピストンとを連結するコンロッドとを備えた構成とし、さらに、前記圧縮室を、前記ピストンが上死点に位置する側から下死点に位置する側に向かって内径寸法が増大するように形成されたテーパ部を有する構成とし、さらに、前記ピストンにおける前記圧縮室側の先端部分に、前記テーパ部との接触荷重を低減する小径部を設け、前記ピストンの小径部を、前記圧縮室側に向かって徐々に小径となる傾斜面とし、さらに、前記テーパ部と前記圧縮室の軸心とのなす角度をαとし、また、前記傾斜面と前記ピストンの軸心とのなす角度がβであるとき、前記角度αと前記角度βを、
α＜β≒２α
の関係を満足するように設定したものである。
【００１７】
かかる構成により、前記ピストンと圧縮室部との摺動抵抗を軽減することができるという作用に加えて、ピストンの先端部がテーパ部と接触した際、接触荷重を低減することができる。その結果、ピストンの先端部とテーパ部の油膜切れを低減し、入力低減や摺動部摩耗低減することができる。
また、かかる構成とすることにより、ピストンが前記テーパ部に沿って傾斜した状態にあるとき、前記ピストンの圧縮室側先端部である傾斜面の角度は、角度βと角度αの差となり、テーパ部の傾斜角度αに近似した値となる。
また、換言すると、前記ピストンの圧縮室側先端部である傾斜面の角度βを、角度αの（略）２倍とすることにより、ピストンが前記テーパ部に沿って傾斜した状態にあるとき、前記ピストンの圧縮室側先端部である傾斜面の角度βは、前記圧縮室（ピストン）の軸心を基準にした場合に、角度αと近似の角度（望ましくは一致した角度）となり、テーパ部に面接触、あるいはテーパ部の面と（略）平行の状態となる。
【発明の効果】
【００１８】
本発明の密閉型圧縮機は、圧縮室がテーパ部を備えているため、ピストンと圧縮室との摺動損失を低く抑えることができる。また、ピストンは、圧縮室側の先端部分に、テーパ部との接触荷重を低減する形状を部分的に形成しているので、ピストンの先端部がテーパ部と接触した際、接触荷重を低減することができ、ピストンの先端部とテーパ部の油膜切れを低減し、入力低減や摺動部摩耗の低減をはかり、高効率で高い信頼性を有する密閉型圧縮機と冷凍装置を得ることができる。
また、その結果、前記ピストンが圧縮室のテーパ部を摺動する状態において、ピストンの先端部と圧縮室のテーパ部面が緩やかな角度で摺動することなり、摺動摩擦を抑制するこ
とができる。したがって、ピストンの先端部とテーパ部の油膜切れ防止をより確実なものとし、より高効率で高信頼性を達成することができる。
【図面の簡単な説明】
【００１９】
【図１】本発明の実施の形態１における密閉型圧縮機の縦断面図
【図２】同実施の形態１における密閉型圧縮機の要部の拡大縦断面図
【図３】同実施の形態１における密閉型圧縮機の圧縮工程における要部の拡大横断面図
【図４】従来の密閉型圧縮機の圧縮部の縦断面図
【発明を実施するための形態】
【００２０】
請求項１に記載の発明は、密閉容器内に、電動要素と、前記電動要素によって駆動される圧縮要素とを収容した密閉型圧縮機であって、前記圧縮要素を、前記電動要素によって回転駆動される主軸部と前記主軸部の一端に設けられ、かつ前記主軸部と一体運動するように形成された偏心軸部を有するシャフトと、前記シャフトの前記主軸部を軸支することによって片持ち軸受を形成する軸受部と、前記軸受部に対して、一定の位置に固定されるように配置され、略円筒形の圧縮室を形成するシリンダブロックと、前記圧縮室の内部に往復動可能に挿設されたピストンと、前記偏心軸部と前記ピストンとを連結するコンロッドとを備えた構成とし、さらに、前記圧縮室を、前記ピストンが上死点に位置する側から下死点に位置する側に向かって内径寸法が増大するように形成されたテーパ部を有する構成とし、さらに、前記ピストンにおける前記圧縮室側の先端部分に、前記テーパ部との接触荷重を低減する小径部を設け、前記ピストンの小径部を、前記圧縮室側に向かって徐々に小径となる傾斜面とし、さらに、前記テーパ部と前記圧縮室の軸心とのなす角度をαとし、また、前記傾斜面と前記ピストンの軸心とのなす角度がβであるとき、前記角度αと前記角度βを、
α＜β≒２α
の関係を満足するように設定したものである。
【００２１】
かかる構成とすることにより、前記圧縮室がテーパ部を備えているため、ピストンと圧縮室との摺動損失を低く抑えることができる。また、ピストンは、圧縮室側の先端部分に、テーパ部との接触荷重を低減する小径部を形成しているため、ピストンの先端部がテーパ部と接触した際、接触荷重を低減することができる。その結果、ピストンの先端部とテーパ部の油膜切れを低減し、入力低減や摺動部摩耗低減して高効率で高信頼性を達成する密閉型圧縮機を得ることができる。
また、かかる構成とすることにより、ピストンが前記テーパ部に沿って傾斜した状態にあるとき、前記ピストンの圧縮室側先端部である傾斜面の角度は、角度βと角度αの差となり、テーパ部の傾斜角度αに近似した値となる。
また、換言すると、前記ピストンの圧縮室側先端部である傾斜面の角度βを、角度αの（略）２倍とすることにより、ピストンが前記テーパ部に沿って傾斜した状態にあるとき、前記ピストンの圧縮室側先端部である傾斜面の角度βは、前記圧縮室（ピストン）の軸心を基準にした場合に、角度αと近似の角度（望ましくは一致した角度）となり、テーパ部に面接触、あるいはテーパ部の面と（略）平行の状態となる。
また、その結果、前記ピストンが圧縮室のテーパ部を摺動する状態において、ピストンの先端部と圧縮室のテーパ部面が緩やかな角度で摺動することなり、摺動摩擦を抑制することができる。したがって、ピストンの先端部とテーパ部の油膜切れ防止をより確実なものとし、より高効率で高信頼性を達成することができる。
【００２６】
請求項２に記載の発明は、請求項１に記載の発明において、前記圧縮室の上死点側の位置に、前記テーパ部に隣接して前記圧縮室内の内径寸法が軸方向に一定となるように形成されたストレート部を有するものである。
【００２７】
かかる構成とすることにより、圧縮行程で上死点側に移行する途中の状態までは、圧縮室がテーパ部を備えているため、ピストンと圧縮室との摺動損失を低く抑えることができ、さらに圧縮行程が進みピストンが上死点位置に近接する状態では、全長にわたってテーパ部を形成する場合よりも、冷媒ガスの圧力圧の増大に伴う冷媒ガスの漏れを低減することができる。その結果、高い冷凍能力を得る密閉型圧縮機を得ることができる。
【００２８】
請求項３に記載の発明は、請求項１から２のいずれか一項に記載の発明において、前記ピストンが下死点に位置する状態において、前記ピストンの少なくとも一部が、前記シリンダブロックから露出するように形成したものである。
【００２９】
かかる構成とすることにより、ピストンが下死点に戻ったときにその下端部が圧縮室部から露出するため、多くの潤滑油がピストンの摺動部へ供給されるとともに保持される。その結果、ピストンと圧縮室との摺動損失を低減することができ、密閉型圧縮機のより高効率化をはかることができる。
【００３０】
請求項４に記載の発明は、請求項１から３のいずれか一項に記載の密閉型圧縮機を搭載した冷凍装置であり、効率の高い冷凍装置を提供することができる。
【００３１】
以下、本発明の実施の形態について、図面を参照しながら説明する。なお、この実施の形態によってこの発明が限定されるものではない。
【００３２】
（実施の形態１）
図１は、本発明の実施の形態１における密閉型圧縮機の縦断面図である。図２は、同実施の形態１における密閉型圧縮機の要部の拡大縦断面図である。図３は、同実施の形態１における密閉型圧縮機の圧縮工程における要部の拡大横断面図である。
【００３３】
図１乃至図３において、密閉容器１０１内には、固定子１０２と回転子１０３を備えた電動要素１０４と、電動要素１０４によって駆動される圧縮要素１０５が収容され、さらに、密閉容器１０１内の底部に潤滑油１０６が貯留されている。
【００３４】
シャフト１１０は、主軸部１１１と、この主軸部１１１と一体運動するようにその一端に偏心して形成された偏心軸部１１２を有し、このうち、主軸部１１１が回転子１０３の軸心に固定されている。シャフト１１０の内部や表面には給油通路１１３が設けられ、その下端部は、給油通路１１３に潤滑油１０６が所定の深さまで浸入するように延出している。
【００３５】
シリンダブロック１１４は、互いに一定の位置に固定されるように配置された略円筒形の圧縮室１１５と、軸受部１２０を備え、軸受部１２０は、シャフト１１０の主軸部１１１における偏心軸部１１２側の端部を軸支することにより、片持ち軸受を形成している。
【００３６】
圧縮室１１５には、ピストン１２３が往復動可能に挿設されている。
【００３７】
シリンダブロック１１４の圧縮室１１５は、図２に示すように、ピストン１２３が下死点に位置する状態で、このピストン１２３の反圧縮室１１５側が密閉容器１０１内に露出するように形成されている。
【００３８】
ここで、圧縮室１１５は、図２および図３に示すように、ピストン１２３が上死点に位置する側から、下死点に位置する側に向かって、内径寸法がＤｔからＤｂ（＞Ｄｔ）に増加するテーパ部を設けている。そして、テーパ部１２５における圧縮室１１５の軸心Ｘとのなす角度はαとなっている。
【００３９】
さらに圧縮室１１５の上死点側の位置には、テーパ部１２５に連続（隣接）して圧縮室１１５内の内径寸法が軸方向に一定であるストレート部１２６を持つように形成されている。ピストン１２３の外周面１２８は、潤滑油を介してテーパ部１２５およびストレート部１２６と摺動する。
【００４０】
また、ピストン１２３は、圧縮室１１５側の先端部分全周に、テーパ部１２５との接触荷重を低減する形状である傾斜面１３０（本発明の小径部に相当）を設けている。そして
、傾斜面１３０とピストン１２３の軸心Ｙとのなす角度はβとなっており、角度αとβの関係は、
α＜β≒２α
の関係式を満足するように設定されている。
【００４１】
さらに、ピストン１２３には、偏心軸部１１２と平行になるようにピストンピン１４０が装着されている。
【００４２】
図３に示す圧縮工程では、ピストン１２３の外周面１２８ａは、テーパ部１２５ａと近接し、逆にピストン１２３の外周面１２８ｂとテーパ部１２５ｂは離れて、ピストン１２３の先端部分の傾斜部１３０ｂ（傾斜面１３０の一部）が、テーパ部１２５ｂと近接（接触）する。
【００４３】
コンロッド１４１は、図１から図３に示すように、大端穴部１４２と、小端穴部１４３と、ロッド部１４４とで構成されており、大端穴部１４２は、偏心軸部１１２に嵌装され、小端穴部１４３は、ピストンピン１４０を介して、ピストン１２３に連結され、これによって偏心軸部１１２とピストン１２３が連結される。
【００４４】
以上のように構成された密閉型圧縮機について、以下にその動作、作用を説明する。
【００４５】
まず、圧縮室１１５のテーパ部１２５とストレート部１２６におけるシール効果と摺動抵抗について説明する。
【００４６】
電動要素１０４の回転子１０３は、シャフト１１０を回転させ、偏心軸部１１２の回転運動が、コンロッド１４１を介してピストン１２３に伝えられ、これによって、ピストン１２３は、圧縮室１１５内を往復運動する。ピストン１２３の往復運動により、周知の構成からなる冷却システム（図示せず）から冷媒ガスが圧縮室１１５内へ吸入され、圧縮された後、再び冷却システムに吐き出される。
【００４７】
給油通路１１３の下端部は、シャフト１１０の回転によってポンプ作用をするようになっており、このポンプ作用により、密閉容器１０１の底部の潤滑油１０６が、給油通路１１３を通って、上方に汲み上げられ、偏心軸部１１２の上端より密閉容器１０１内の全周方向へ水平に飛散し、ピストンピン１４０やピストン１２３などに供給されて摺動部の潤滑を行う。
【００４８】
ピストン１２３が図３に示す下死点位置から、冷媒ガスを圧縮する圧縮行程で上死点側に移動する途中の状態までは、圧縮室１１５内の圧力はそれほど上昇しない。その結果、ピストン１２３の外周面１２８とテーパ部１２５の隙間が比較的大きくても、潤滑油によるシール効果で冷媒ガスの漏れはほとんど発生せず、ピストン１２３の摺動抵抗も小さい。
【００４９】
さらに圧縮行程が進み、圧縮室１１５内の冷媒ガスの圧力が次第に上昇して、ピストン１２３が上死点の近傍位置に達する直前では、圧縮室１１５内の圧力は急激に上昇するが、上死点側では、ピストン１２３の外周面１２８とテーパ部１２５の隙間が小さくなることから、冷媒ガスの漏れの発生を低減することができる。このとき、ストレート部１２６は、所定の吐出圧力まで増大した冷媒ガスの漏れを、このストレート部１２６をテーパ状にした場合よりも低減するように作用する。
【００５０】
また、ピストン１２３が下死点に位置する状態において、ピストン１２３のコンロッド１４１側が圧縮室１１５から露出するように形成されているため、シャフト１１０の上端
から飛散された潤滑油が、ピストン１２３の外周面１２８に供給されるとともに、保持される。
【００５１】
以上の結果、圧縮室１１５とピストン１２３との摺動部により多くの潤滑油が供給され、さらに、ピストン１２３が上死点位置に近接した状態での摺動抵抗を軽減することができ、これによって高効率化を達成することができる。
【００５２】
次に、同実施の形態１におけるピストン１２３の挙動を説明する。
【００５３】
圧縮行程の初期においては、ピストン１２３は、圧縮室１１５内のテーパ部１２５の範囲内に位置しており、コンロッド１４１により押されて、通常はテーパ部１２５の片側内壁面に沿って摺動していると考えられる。
【００５４】
なお、ここでは、便宜上ピストン１２３がテーパ部１２５ａに沿って摺動した場合について説明する。
【００５５】
ピストン１２３の外周面１２８ａが、テーパ部１２５ａと摺動しながら圧縮室１１５の上死点側に移動していくと、テーパ部１２５ａと摺動していないピストン１２３の外周面１２８ｂの先端部に設けた傾斜部１３０ｂが、テーパ部１２５ｂに接触する。
【００５６】
このとき、傾斜部１３０ｂの面とテーパ部１２５ｂの面がほぼ平行に接触するように、ピストン１２３の傾斜面１３０とピストン１２３の軸心Ｙのなす角度βと、テーパ部１２５と圧縮室１１５の軸心Ｘとのなす角度αを設定しているため、接触部を面とすることができ、接触荷重を低減することができる。その結果、ピストン１２３の先端部の傾斜部１３０ｂ（傾斜面１３０）とテーパ部１２５ｂの油膜切れを低減し、入力低減や摺動部摩耗低減することができ、高効率で高信頼性を得ることができる。
【００５７】
ここでテーパ部１２５の角度αと傾斜面１３０の角度βの関係について説明する。
【００５８】
ピストン１２３の外周面１２８がテーパ部１２５に沿った場合、テーパ部１２５は、円錐形状であることから、傾斜面１３０の角度βは、圧縮室１１５の軸心Ｘ（ピストン１２３の軸心Ｙ）を基準にすると、角度（β−α）となる。
【００５９】
一方、傾斜面１３０とテーパ部１２５の摺動において、油膜切れのない好ましい状態は、両者が平行にある状態である。かかることから、ピストン１２３の外周面１２８がテーパ部１２５に沿った状態におけるピストン１２３の傾斜面１３０の角度βは、圧縮室１１５の軸心Ｘ（ピストン１２３の軸心Ｙ）を基準にした場合の角度（β−α）を、角度αとすることが好ましく、本実施の形態１においては、テーパ部１２５の角度αの２倍の２αとすることが、最も適した状態を得ることになる。
【００６０】
したがって、ピストン１２３の軸心Ｙが圧縮室１１５の軸心Ｘと平行にある場合、傾斜面１３０の角度βはテーパ部１２５の角度αの２倍となる。
【００６１】
上述の結果、テーパ部１２５の角度αと傾斜面１３０の角度βの関係が、
α＜β≒２α（好ましくは、α＜β＝２α）
の関係を満足するように各設計諸元（圧縮室１１５の形状加工、ピストン１２３の先端傾斜面１３０の角度など）を決定することにより、ピストン１２３がテーパ部１２５に沿って傾斜した状態にある摺動において、ピストン１２３の先端部とテーパ部１２５の油膜切れを抑制することができる。
【００６２】
また、本実施形態１において、接触荷重を低減するピストン１２３の先端部の形状は、図２、図３の角度から見て直線的な傾斜面１３０に限るものではなく、平面に近い曲面とした構成においても、同様の作用効果が期待できる。
【００６３】
なお、本実施形態１においては、シャフト１１０の偏心軸部１１２とピストン１２３側との連結機構をコンロッド１４１としたが、ボールジョイント等の可動部を有する連結機構を用いた構成であっても、同様に実施することができ、同様の作用効果が期待できる。
【産業上の利用可能性】
【００６４】
以上のように、本発明にかかる密閉型圧縮機は、高信頼性化と高効率化とを達成することが可能となるので、エアーコンディショナーや自動販売機等の冷凍サイクルを用いた機器に用いられる密閉型圧縮機にも広く適用することができる。
【符号の説明】
【００６５】
１０１  密閉容器
１０４  電動要素
１０５  圧縮要素
１１０  シャフト
１１１  主軸部
１１２  偏心軸部
１１４  シリンダブロック
１１５  圧縮室
１２０  軸受部
１２３  ピストン
１２５  テーパ部
１２６  ストレート部
１３０  傾斜面
１４１  コンロッド
【図１】
0005810273.tif 000002
【図２】
0005810273.tif 000003
【図３】
0005810273.tif 000004
【図４】
0005810273.tif 000005